(57)【要約】【課題】本発明は、モニター光線強度を安定化し、接着による光学特性劣化を低減させ、製造コストの低い、光学装置、及びこれを用いた光ピックアップ装置、及びこれらを用いた光ディスクドライブ装置を提供することを目的とする。【解決手段】本発明は上記課題を解決するためになされたものであって、発光素子と発光素子の発光量をモニターするモニターセンサーと、発光素子の発する光線の光軸の方向を変える反射ミラーと、反射ミラーの近傍もしくは反射ミラーと一体となった集光素子とを有し、光線の一部をモニターセンサーへ集光し導くように構成したものである。【選択図】  図１
2004246961.tif 000002
【特許請求の範囲】
【請求項１】
発光素子と、前記発光素子の発光量をモニターするモニターセンサーと、集光素子と、前記集光素子により前記発光素子が発する光線の一部を前記モニターセンサーへ導く手段とを有することを特徴とする光学装置。
【請求項２】
発光素子と、前記発光素子の発光量をモニターするモニターセンサーと、前記光線の光軸方向を変える反射ミラーと、集光素子と、前記集光素子により前記光線の一部を前記モニターセンサーへ導く手段とを有することを特徴とする光学装置。
【請求項３】
発光素子と、前記発光素子の発光量をモニターするモニターセンサーと、前記発光素子が発する光線を平行光に変換するコリメートレンズと、前記光線の光軸方向を変える反射ミラーと、前記コリメートレンズ範囲外の拡散光を集光する集光素子と、前記集光素子により前記光線の一部を前記モニターセンサーへ導く手段とを有することを特徴とする光学装置。
【請求項４】
前記集光素子は、少なくとも一つの反射面を有する凹面反射鏡であることを特徴とする請求項１〜３のいずれか１記載の光学装置。
【請求項５】
前記集光素子は、少なくとも一つの反射面を有する平面反射鏡であることを特徴とする請求項１〜３のいずれか１記載の光学装置。
【請求項６】
前記集光素子は、集光機能を有する対物レンズであることを特徴とする請求項１〜３のいずれか１記載の光学装置。
【請求項７】
前記集光素子は、前記反射ミラーを格納するミラー枠と一体となっていることを特徴とする請求項２〜６のいずれか１記載の光学装置。
【請求項８】
前記集光素子は、前記反射ミラーの近傍に置かれていることを特徴とする請求項２〜６のいずれか１記載の光学装置。
【請求項９】
前記反射ミラーは前記ミラー枠を介してベース本体へ固定されることを特徴とする請求項２〜８いずれか１記載の光学装置。
【請求項１０】
前記反射ミラーは全反射膜を有することを特徴とする請求項２〜９いずれか１記載の光学装置。
【請求項１１】
前記ミラー枠の材質は光透過性の樹脂であることを特徴とする、請求項２〜１０のいずれか１記載の光学装置。
【請求項１２】
発光素子と、前記発光素子の発光量をモニターするモニターセンサーと、前記発光素子の発する光線の光軸方向を変える立ち上げ反射ミラーと、集光素子と、前記集光素子により前記光線の一部を前記モニターセンサーへ導く手段とを有することを特徴とする光学装置。
【請求項１３】
発光素子と、前記発光素子の発光量をモニターするモニターセンサーと、前記発光素子の発する光線を平行光に変換するコリメートレンズと、前記光線の光軸方向を変える立ち上げ反射ミラーと、前記コリメートレンズ範囲外の拡散光を集光する集光素子と、前記集光素子により前記光線の一部を前記モニターセンサーへ導く手段とを有することを特徴とする光学装置。
【請求項１４】
前記集光素子は、少なくとも一つの反射面を有する凹面反射鏡であることを特徴とする請求項１２乃至１３記載の光学装置。
【請求項１５】
前記集光素子は、少なくとも一つの反射面を有する平面反射鏡であることを特徴とする請求項１２乃至１３記載の光学装置。
【請求項１６】
前記集光素子は、集光機能を有する対物レンズであることを特徴とする請求項１２乃至１３記載の光学装置。
【請求項１７】
前記集光素子は、前記立ち上げ反射ミラーと一体となっていることを特徴とする請求項１２〜１６のいずれか１記載の光学装置。
【請求項１８】
前記集光素子は、前記立ち上げ反射ミラーの近傍に置かれていることを特徴とする請求項１２〜１６のいずれか１記載の光学装置。
【請求項１９】
前記発光素子は、レーザー光線を発光するレーザーモジュールを用いることを特徴とする請求項１〜１８いずれか１記載の光学装置。
【請求項２０】
キャリッジベースと、前記キャリッジベースを支持するシャフトと、前記発光素子の発する光線から焦点スポットを形成するための対物レンズと、請求項１〜１９いずれか１記載の光学装置を用いたことを特徴とする光ピックアップ装置。
【請求項２１】
光ディスクを搭載するターンテーブルと、前記ターンテーブルを回転させる回転駆動装置と、前記光ピックアップ装置を駆動する駆動装置と、これらを格納する筺体と、請求項２０記載の光ピックアップ装置を用いたことを特徴とする光ディスクドライブ装置。
【発明の詳細な説明】
【０００１】
【発明の属する技術分野】
本発明は、光学装置、及びＣＤやＤＶＤドライブなどをはじめとする光学式記録再生装置などに使用される光ピックアップ装置及びこれを用いた光ディスクドライブ装置に関するものである。
【０００２】
【従来の技術】
近年、可搬型パーソナルコンピュータの薄型化、小型軽量化、そして低価格化が進展している。また、これら可搬型パーソナルコンピュータが使用する記憶容量は著しく増加し、大容量の外部記憶装置を必要とする。ＣＤ（低密度）、ＤＶＤ（高密度）の光学式記録媒体は大容量で取り扱いが容易である点を活かして可搬型パーソナルコンピュータの外部記憶装置に使用される。その結果、光学式記録再生装置は、高性能、小型軽量化が要求され、そして更に低コスト化も同時に両立させることが必要となっている。特に、媒体に光学的にアクセスする光学装置、およびこれを用いた光ピックアップ装置を、高性能、薄型でかつ安価に構成することが、光学式記録再生装置の重要な技術ポイントとなる。
【０００３】
なお以降は、使用する媒体を光ディスクと略称する。この光ディスクとは、光ビームを媒体に照射することによって情報を記録し、あるいは媒体に記録されている情報を再生するために使用する媒体を総称する。従って、記録に当たって磁気を併用するか否かの記録原理の相違や、ＣＤやＤＶＤといった記録密度の相違、追記型や相変化型といった記録方式の相違、および円盤形か名刺型かあるいはジャケットに収納されているか否かといった形状や実装形態の相違は全く問わない意味に使用する。
【０００４】
以下、従来の光学装置を用いた光ピックアップ装置について図に基づいて説明する。図１１は従来の技術における従来の形態の斜視図であり、図１２は従来の技術における図１１の光学部品の斜視図である。
【０００５】
図１１で、３１はキャリッジベースであり、光学部品を固定する、光ディスクの内周から外周まで移動する為に、２本のシャフト３２にて支持されている。このキャリッジベース３１には、レーザーモジュール３３、コリメートレンズ３４、反射ミラー３５、レーザーモニターセンサー３６、立ち上げ反射ミラー３８、対物レンズ３９が夫々接着剤によって固定されている。
【０００６】
図１２を用いて光学系について説明する。レーザーモジュール３３はレーザー光線４０を拡散射出する発光素子である。コリメートレンズ３４は、レーザーモジュール３３から拡散射出されたレーザー光線４０を、平行な光束へ絞る機能を備えており、反射ミラー３５は、レーザー光線の９５％を反射させ、残り５％を透過させる機能を備えている。レーザーモニターセンサー３６は、反射ミラー３５を透過した５％のレーザー光線を受光し、このレーザー光線を電圧へ変換することで、レーザー光線の強さをモニターするモニターセンサーである。３９は立ち上げ反射ミラーであり、レーザー光線を反射させる機能を備えている。対物レンズ３９はレーザー光線を集光し焦点を結ばせ、光ディスクの情報記録部へ当てるための焦点スポット４１をつくる機能を備えている。
【０００７】
上記の構成によって、レーザーモジュール３３から放出されたレーザー光線は、夫々の光学部品を経過し、最終的に光ディスク上に微小な焦点スポット４１を形成する。これにより、光ディスク上に記録された情報を読み取ることができる。
【０００８】
同様に、光ディスク上に情報を記録する場合も、焦点スポットを光ディスク記録面上に当て、そのレーザー光線の熱で記録面の物理的状態を変化させることで、情報を光ディスク面に記録することができる。ただし、この時レーザー光線の強さを正確にモニター把握し、発生する熱を正確にコントロールすることが必要である。従って、記録時にはレーザー光線の一部を取得しその強度を正確にモニターするためのレーザーモニターセンサー３６が必要不可欠であり、かつそのレーザー光強度の測定には高い精度が要求される。
【０００９】
図１３は、従来の技術における図１２のＢ方向矢視図である。レーザー光線の平行光４２は、反射ミラー３５によって、その９５％は反射されるが、残り５％は反射ミラー３５を透過し、モニター用の光線としてレーザーモニターセンサー３６の方向へ進む。更にその光線の一部がレーザーモニターセンサー３６へ到達し、その強さがレーザーモニターセンサー３６によって感知されることになる（例えば特許文献１参照）。
【００１０】
【特許文献１】
特開２００１−３１２８３号公報（第９頁段落番号００６０、第１１図）
【００１１】
【発明が解決しようとする課題】
しかしながら、この従来の構成による光学装置およびこれを用いた光ピックアップ装置では、レーザー光線の５％が常にモニター用として消費されるので、光ディスク上の情報の読み取り時や書き込み時のレーザー光線パワーが５％だけ余分に必要となる。又、レーザーモニターセンサー３６へ到達するレーザー光線は一部の弱い光であるため、レーザーモニターセンサー３６には高い感度が必要とされ、正確に測定されるべきモニター光線強度の精度が不安定になりやすく、かつ部品のコストアップ要因の一つとなる。
【００１２】
更に、反射ミラー３５は、その両端を接着剤にてキャリッジベース３１へ接着固定されるため、接着剤の硬化収縮などにより歪を受け、光学的な歪が発生しやすくなる場合があり、これが光学的特性劣化につながる可能性がある。
【００１３】
また反射ミラー３５には、接着固定のための接着しろが必要なため、必要以上に面積が大きくなり、反射ミラー３５の表面の半透過膜は、透過率の精度が必要な為、技術的に高度な半透過膜を必要とし、部品製造コストを引き上げる問題がある。
【００１４】
従って本発明は、モニター光線強度を安定させ、接着による光学特性劣化を低減させ、製造コストの低い、光学装置、これを用いた光ピックアップ装置及びこれを用いた光ディスクドライブ装置を提供することを目的とする。
【００１５】
【課題を解決するための手段】
上記課題を解決するために、本願の発明は発光素子と、発光素子の発光量をモニターするモニターセンサーと、発光素子の発する光線の光軸方向を変える反射ミラーと、集光素子と、集光素子により光線の一部をモニターセンサーへ導く手段とを有する構成とする。
【００１６】
【発明の実施の形態】
請求項１に記載の発明は、発光素子と、発光素子の発光量をモニターするモニターセンサーと、集光素子と、集光素子により発光素子の発する光線の一部をモニターセンサーへ導く手段とを有することを特徴とする光学装置であって、モニターセンサーでの発光量モニターを行う作用を有する。
【００１７】
請求項２に記載の発明は、発光素子と、発光素子の発光量をモニターするモニターセンサーと、発光素子の発する光線の光軸方向を変える反射ミラーと、集光素子と、集光素子により発光素子の発する光線の一部をモニターセンサーへ導く手段とを有することを特徴とする光学装置であって、モニターセンサーでの発光量モニターを行う作用を有する。
【００１８】
請求項３に記載の発明は、発光素子と、発光素子の発光量をモニターするモニターセンサーと、発光素子の発する光線の光軸方向を変える反射ミラーと、発光素子からの光線を平行光に変換するコリメートレンズと、コリメートレンズ範囲外の拡散光を集光する集光素子と、集光素子により光線の一部をモニターセンサーへ導く手段とを有することを特徴とする光学装置であって、モニターセンサーでの発光量モニターを行う作用を有する。
【００１９】
請求項４に記載の発明は、集光素子は、少なくとも一つの反射面を有する凹面反射鏡であることを特徴とする請求項１〜３のいずれか１記載の光学装置であって、モニターセンサーでの発光量モニターを行う作用を有する。
【００２０】
請求項５に記載の発明は、集光素子は、少なくとも一つの反射面を有する平面反射鏡であることを特徴とする請求項１〜３のいずれか１記載の光学装置であって、モニターセンサーでの発光量モニターを行う作用を有する。
【００２１】
請求項６に記載の発明は、集光素子は、集光機能を有する対物レンズであることを特徴とする請求項１〜３のいずれか１記載の光学装置、モニターセンサーでの発光量モニターを行う作用を有する。
【００２２】
請求項７に記載の発明は、集光素子は、反射ミラーと一体となっていることを特徴とする請求項２〜６のいずれか１記載の光学装置であって、モニターセンサーでの発光量モニターを行う作用を有する。
【００２３】
請求項８に記載の発明は、集光素子は、反射ミラーの近傍に置かれていることを特徴とする請求項２〜６のいずれか１記載の光学装置であって、モニターセンサーでの発光量モニターを行う作用を有する。
【００２４】
請求項９に記載の発明は、反射ミラーはミラー枠を介してベース本体へ固定されることを特徴とする請求項２〜８いずれか１記載の光学装置であって、モニターセンサーでの発光量モニターを行う作用を有する。
【００２５】
請求項１０に記載の発明は、反射ミラーは全反射膜を有することを特徴とする請求項２〜９いずれか１記載の光学装置であって、モニターセンサーでの発光量モニターを行う作用を有する。
【００２６】
請求項１１に記載の発明は、反射ミラー枠の材質は光透過性の樹脂であることを特徴とする、請求項２〜１０のいずれか１記載の光学装置であって、モニターセンサーでの発光量モニターを行う作用を有する。
【００２７】
請求項１２に記載の発明は、発光素子と、発光素子の発光量をモニターするモニターセンサーと、発光素子の発する光線の光軸方向を変える立ち上げ反射ミラーと、集光素子と、集光素子により光線の一部をモニターセンサーへ導く手段とを有することを特徴とする光学装置であって、モニターセンサーでの発光量モニターを行う作用を有する。
【００２８】
請求項１３に記載の発明は、発光素子と、発光素子の発光量をモニターするモニターセンサーと、発光素子の発する光線を平行光に変換するコリメートレンズと、光線の光軸方向を変える立ち上げ反射ミラーと、コリメートレンズ範囲外の拡散光を集光する集光素子と、集光素子により光線の一部をモニターセンサーへ導く手段とを有することを特徴とする光学装置であって、モニターセンサーでの発光量モニターを行う作用を有する。
【００２９】
請求項１４に記載の発明は、集光素子は、少なくとも一つの反射面を有する凹面反射鏡であることを特徴とする請求項１２乃至１３記載の光学装置であって、モニターセンサーでの発光量モニターを行う作用を有する。
【００３０】
請求項１５に記載の発明は、集光素子は、少なくとも一つの反射面を有する平面反射鏡であることを特徴とする請求項１２乃至１３記載の光学装置であって、モニターセンサーでの発光量モニターを行う作用を有する。
【００３１】
請求項１６に記載の発明は、集光素子は、集光機能を有する対物レンズであることを特徴とする請求項１２乃至１３記載の光学装置であって、モニターセンサーでの発光量モニターを行う作用を有する。
【００３２】
請求項１７に記載の発明は、集光素子は、立ち上げ反射ミラーと一体となっていることを特徴とする請求項１２〜１６のいずれか１記載の光学装置であって、モニターセンサーでの発光量モニターを行う作用を有する。
【００３３】
請求項１８に記載の発明は、集光素子は、立ち上げ反射ミラーの近傍に置かれていることを特徴とする請求項１２〜１６のいずれか１記載の光学装置であって、モニターセンサーでの発光量モニターを行う作用を有する。
【００３４】
請求項１９に記載の発明は、発光素子は、レーザー光線を発光するレーザーモジュールを用いることを特徴とする請求項１〜１８いずれか１記載の光学装置であって、モニターセンサーでの発光量モニターを行う作用を有する。
【００３５】
請求項２０に記載の発明は、キャリッジベースと、キャリッジベースを支持するシャフトと、発光素子の発する光線から焦点スポットを形成するための対物レンズと、請求項１〜１９いずれか１記載の光学装置を用いたことを特徴とする光ピックアップ装置であって、モニターセンサーでの発光量モニターを行いつつ記録面の読み書きを行う作用を有する。
【００３６】
請求項２１に記載の発明は、光ディスクを搭載するターンテーブルと、ターンテーブルを回転させる回転駆動装置と、光ピックアップ装置を駆動する駆動装置と、これらを格納する筺体と、請求項２０記載の光ピックアップ装置を用いたことを特徴とする光ディスクドライブ装置であって、光ディスクの読み取りと書き取りを行う作用を有する。
【００３７】
以下、本発明の実施の形態について、図を用いて説明する。
【００３８】
（実施の形態１）
図１は本発明の実施の形態１における光学装置の斜視図である。１は光学部品を固定するための金属製のキャリッジベースであり、キャリッジベースの可動性を確保するために、シャフト２にて支持されている。このキャリッジベース１には、レーザーモジュール３、コリメートレンズ４、ミラー枠５、レーザーモニターセンサー８が各々接着剤によって固定されている。７はミラー枠５の接着部分である。６はミラー枠と一体に形成された集光素子である。ミラー枠とこれと一体形成されている集光素子６は、透明もしくは半透明の樹脂で形成されている。
【００３９】
レーザーモジュール３はレーザー光線を射出する機能を備えた発光素子であり、拡散光を射出する。なお、レーザーモジュール３のようなレーザー発光素子ではなく、発光ダイオード（以下「ＬＥＤ」という）でもよいが、好ましくは、光線の直進性、非干渉性の性能が高いレーザー光線が適している場合が多い。コリメートレンズ４は、レーザーモジュール３から射出されたレーザー光線を、平行あるいは略平行な光束へ変換する。ただし、コリメートレンズ４の口径範囲以外の残余光については、そのまま拡散光として進行する。
【００４０】
レーザーモニターセンサー８は、レーザー光線の強度を測定するモニターセンサーであり、レーザー光線の強度調整を行う必要のある場合の光線強度を測定するものである。例えば、本光学装置を用いて、光ディスク上に情報を記録する場合には、レーザー光を光ディスク記録面上に当て、そのレーザー光の熱で記録面の物理的状態を変化させることで、情報が光ディスク面に記録される。この時、レーザー光線の強度を正確にモニター把握し、発生する熱を正確にコントロールすることが必要とされる。従って、記録時にはレーザー光線の一部を取得しその強度を正確にモニターするためのレーザーモニターセンサー８が必要不可欠であり、かつそのレーザー光線の強度測定には高い精度が要求される。
【００４１】
図２は本発明の実施の形態１における反射ミラーの分解斜視図である。９はミラー枠５に収められている反射ミラーである。反射ミラー９は９５％の反射率の反射膜を有していた従来の技術と異なり、レーザー光線を反射ミラーから透過させる必要がないため、全反射膜の反射面１０を有している。反射面１０はアルミや銀などによる蒸着で形成されている。
【００４２】
なお、反射ミラーは方形でも円形でも楕円形でも平行四辺形であってもよい。
【００４３】
図３は本発明の実施の形態１におけるミラー枠の構成図であり、図３を用いて光学系の流れを説明する。
【００４４】
１２は光源方向を表し、１４はコリメートレンズ４により変換された平行光である。１５はコリメートレンズ４の口径外の拡散光であり、平行光１４と非平行状態で進行している。平行光１４は、反射ミラー９の反射面１０において全反射され、レーザー光線を必要とする対物側１３の方向に、光軸が変更される。このレーザー光線の平行光は、光ディスクへの照射や、光ファイバーへの照射など、さまざまな用途に用いられる。
【００４５】
集光素子６は、ミラー枠５と一体形成され凹面形状を有しており、その凹面部にアルミや銀などの反射素材の蒸着がなされており、凹面形状とあいまって反射鏡１１が形成されている。
【００４６】
なお、ミラー枠５と集光素子６の素材は同じでも異なってもよく、反射ミラー９の反射面１０と集光素子６の反射面の反射素材は同じでも異なってもよい。ミラー枠５と集光素子６が別素材で形成される場合には、別個に形成されたミラー枠５と集光素子６を接着する、あるいは嵌合することで一体化される。また、集光素子６は凹面形状による反射鏡でなくとも、平面形状に反射素材が蒸着された平面鏡であってもよい。
【００４７】
反射鏡１１には、反射ミラー９にて反射される平行光１４ではなく、拡散光１５が集光される。さらに拡散光１５が反射鏡の凹面にそって反射されてレーザーモニターセンサー８に集光される。これによりレーザーモニターセンサー８において、レーザー光線の強度が測定される。レーザーモニターセンサー８は、受光したレーザー光線を電圧へ変換する機能を有し、拡散光１５の強さをモニターすることによってレーザー光線の強さを正確に検出することができる。
【００４８】
以上の構成により、レーザー光線の拡散光をレーザーモニターセンサー８に集光させることが可能となり、更にこの拡散光はレーザーモジュール３から発光された強い光線であるため、高い精度でレーザー光線の強度を測定することが可能となる。また、強いレーザー光線である拡散光１５を用いて測定することが可能となるため、レーザーモニターセンサーは小型で良く、要求される精度も低くてよいため、結果として光学装置の小型化、低コスト化を実現できる。さらに、従来の技術のように、レーザーモニターセンサー８へレーザー光線の５％を透過させる必要がないため、対物側１３への平行光の強度も強くなる効果がある。
【００４９】
次に、図４は実施の形態１におけるミラー枠と集光素子の構成図であり、集光素子１６がミラー枠５と別部品で構成され、反射ミラーの前方に設置されている場合を表す。
【００５０】
反射ミラー９は、ミラー枠５に格納されているが、ミラー枠５には集光素子が一体形成されていない。このためミラー枠５は反射ミラーを格納するに足る形状となっている。１６は集光素子であり、反射ミラーの前方に設置され、凹面形状を有しており、凹面部にアルミや銀の反射素材が蒸着され反射面が形成されている。集光素子１６で、拡散光１５が反射されてレーザーモニターセンサー８に集光される。これにより、上記と同様にレーザーモニターセンサー８において、レーザー光線の強度が測定される。
【００５１】
なお、集光素子１６は凹面反射鏡ではなく反射面を有する平面鏡であり、平面反射を用いて拡散光１５をレーザーモニターセンサー８に集光することでも同様の効果を有する。
【００５２】
あるいは、集光素子１６を対物レンズとして、レーザーモニターセンサー８に拡散光１５を集光することでも同様の効果を有する。
【００５３】
次に、図５は実施の形態１におけるミラー枠と集光素子の構成図であり、集光素子１７がミラー枠と別部品で構成され、反射ミラーの後方に設置されている場合を表している。
【００５４】
集光素子１７は、凹面形状を有しており、凹面部にアルミや銀の反射素材が蒸着され反射面が形成されている。この集光素子１７で拡散光１５が反射され、レーザーモニターセンサー８に集光される。これにより、上記と同様にレーザーモニターセンサー８において、レーザー光線の強度が測定される。
【００５５】
なお、集光素子１７は凹面反射鏡ではなく反射面を有する平面鏡であり、平面反射を用いて拡散光１５をレーザーモニターセンサー８に集光することでも同様の効果を有する。
【００５６】
あるいは、集光素子１７を対物レンズとして、レーザーモニターセンサー８に拡散光１５を集光することでも同様の効果を有する。
【００５７】
なお、実施の形態１に関する光学装置は、光ピックアップ装置や、光ファイバーモジュール装置などに用いられる。
【００５８】
（実施の形態２）
図６は本発明の実施の形態２における光ピックアップ装置の斜視図である。図１と同じ符号を割り当てている構成要素については、説明を省略する。１８は立ち上げ反射ミラーであり、１９は対物レンズである。これらは接着剤によりキャリッジベース１に固定されており、キャリッジベース１は２本のシャフト２により支持されており、キャリッジベースの可動性が確保されている。
【００５９】
図７は本発明の実施の形態２における光ピックアップ装置の光学部品の斜視図である。図７を用いて、光学系について説明する。レーザーモジュール３は、レーザー光線を発光する機能を有した発光素子であり、拡散光２０を射出する。コリメートレンズ４は、レーザーモジュール３から射出された拡散光２０を、平行もしくは略平行な光束へ変換する。なお、拡散光の全拡散領域のうち、対物レンズ１９の開口数に関するほぼ中心部分の領域の光束がコリメートレンズ４によって平行光１４に変換され、残余の周辺光は依然として拡散光１５のまま進行する。
【００６０】
５はミラー枠であって、反射ミラー９を保持すると共に、枠体の所定の部分に集光素子６が一体形成されている。反射ミラー９には、単純全反射膜が形成されており、コリメートレンズ４を透過した平行光１４を反射させる機能を有する。単純全反射膜はアルミや銀の反射材料による蒸着で実現されており、ミラー枠は樹脂により形成される。またミラー枠５と一体形成される集光素子６もミラー枠と同じ樹脂で形成される。
【００６１】
なお、ミラー枠５と集光素子６が別素材で形成されてもよく、ミラー枠５と集光素子６が別素材で形成された場合には、それぞれを接着する、あるいは嵌合することで、一体化される。
【００６２】
集光素子６は光ディスクの記録再生に寄与することのない周辺の拡散光１５を集光し、レーザーモニターセンサー８へ導く機能を有する。集光素子６は図３で説明したように、凹面形状を有しており、凹面部にはアルミや銀などの反射材料が蒸着されて、反射面が形成されている。この反射面により拡散光１５が反射され、モニターセンサーであるレーザーモニターセンサー８に集光される。これにより、レーザーモニターセンサー８においてレーザー光線の強度を測定することができる。
【００６３】
次に、レーザー光線を反射させる機能を備えた立ち上げ反射ミラー１８はレーザー光線を反射させる機能を備えており、対物レンズ１９はレーザー光線を集光して、光ディスクの情報記録部へ当てるための焦点スポット２１をつくる機能を備えている。ここで、反射ミラー９は９５％の反射率の反射膜を有していた従来の技術と異なり、レーザー光線を反射ミラーから透過させる必要がないため、全反射膜を有している。このため、レーザー光線の平行光の焦点スポット２１への集光力が向上する。
【００６４】
以上の構成により、レーザーモジュール３から放出されたレーザー光線は、夫々の光学部品を経過し、最終的に光ディスク上に微小な焦点スポット２１を形成し、これにより光ディスク上に記録された情報を読み取ることができる。
【００６５】
同様に、光ディスク上に情報を記録する場合も、レーザー光スポットを光ディスク記録面上に当て、そのレーザー光スポットの熱で記録面の物理的状態を変化させることによって、情報が光ディスク面に記録される。
【００６６】
なお、実施の形態１で説明したとおり、集光素子６は図４に示すとおり反射ミラー９の前方に設置されてもよく、集光素子６は凹面形状の反射鏡のみならず、反射面を有する平面鏡や、集光機能を有する対物レンズであってもよい。
【００６７】
また、集光素子６は図５で説明したとおり、反射ミラー９の後方に設置されてもよく、集光素子６は凹面形状の反射鏡のみならず、反射面を有する平面鏡や、集光機能を有する対物レンズであってもよい。
【００６８】
なお、実施の形態２に関する光ピックアップ装置を組み込むことで、光ディスクドライブ装置や、光ファイバーモジュールを構成することが可能である。
【００６９】
（実施の形態３）
図８は本発明の実施の形態３における立ち上げ反射ミラーと集光素子の構成図である。
【００７０】
実施の形態１と２においては、集光素子６をミラー枠５と一体形成した場合や、反射ミラー９の近傍に設置した場合を説明した。実施の形態３では、立ち上げ反射ミラー１８と集光素子６を一体形成する場合や、その近傍に設置する場合を説明する。例えば、発光素子であるレーザーモジュール３からのレーザー光線を反射させる必要がなく、直進させる場合などに用いられる。
【００７１】
１８は立ち上げ反射ミラーである。立ち上げ反射ミラー１８の形状は円形、楕円形、方形、平行四辺形のいずれであってもよい。立ち上げ反射ミラー１８の表面には反射面が形成されており、アルミや銀などの反射素材の蒸着による単純全反射膜が形成されている。２２は集光素子であり立ち上げ反射ミラー１８と一体形成されている。もしくは立ち上げ反射ミラー１８を格納するミラー枠がある場合には、このミラー枠と一体形成される。
【００７２】
なお、集光素子２２は立ち上げ反射ミラー１８やミラー枠と同一素材で形成されても、別素材で形成されてもよい。別素材で形成された場合は、各々を接着、嵌合させることで、一体化される。
【００７３】
集光素子２２は凹面形状を有しており、凹面部にはアルミや銀などの反射素材が蒸着されており、反射鏡が形成されている。あるいは、平面形状を有しており、反射素材が蒸着された反射面を施された平面鏡でもよい。平行光１４は立ち上げ反射ミラー１８の反射面から対物レンズ側１３に向けて反射され、その光軸が変更される。一方、拡散光１５はコリメートレンズなどの口径範囲外のレーザー光線であり、拡散光のまま進行している。この拡散光１５は集光素子２２の反射鏡により集光されてモニターセンサーであるレーザーモニターセンサー８に集光される。レーザーモニターセンサー８では、受光したレーザー光線を電圧へ変換する機能を有し、拡散光１５の強さをモニターすることによってレーザー光線の強さを正確に検出することができる。
【００７４】
以上の構成により、レーザーモニターセンサー８において、レーザー光線の強度を測定することが可能となる。また、拡散光１５は従来の技術の５％の透過光と異なり、十分な強度を有しているため、レーザーモニターセンサー８での測定の精度が向上し、さらにレーザーモニターセンサーに要求される大きさや精度が小さく、あるいは低くてもよくなり、小型化や低コスト化が実現される。
【００７５】
次に、図９は実施の形態３における立ち上げ反射ミラーと集光素子の構成図であり、立ち上げ反射ミラー１８と集光素子２３が別部品で構成されている。
【００７６】
集光素子２３は凹面形状を有しており、その凹面部にアルミや銀などの反射素材が蒸着されることで、反射鏡が形成されている。拡散光１５がこの集光素子２３の反射鏡により反射され、レーザーモニターセンサー８に集光される。これにより、レーザーモニターセンサー８において、拡散光１５の強度をモニターすることで、レーザー光線の強度を測定することができる。
【００７７】
なお、集光素子２３の凹面部の蒸着素材は立ち上げ反射ミラーの蒸着素材と同じでも異なってもよい。
【００７８】
なお、図４のように、集光素子２３を立ち上げ反射ミラー１８の前方に設置してもよく、集光素子２３は、反射面を有する平面鏡や、集光機能を有する対物レンズであってもよい。
【００７９】
なお、実施の形態１から３までにおいては、光線を発光する発光素子についてレーザー光線を発光するレーザーモジュールとしたが、発光ダイオード（ＬＥＤ）などであってもよい。ただし、光ピックアップ装置などに用いる場合には、レーザー光線の直進性や非干渉性の特徴が適している場合が多い。
【００８０】
また、実施の形態３に関する光学装置は、光ピックアップ装置や光ファイバーモジュールなどに用いられる。
【００８１】
（実施の形態４）
図１０は、本発明の実施の形態４における光ディスクドライブ装置の構成図である。
【００８２】
５１は筺体であり、光ピックアップ装置や実際の光ディスクなどを格納する。筺体は樹脂や金属など用途に応じた材料で形成され、パソコンの外付けや内蔵などの形態で設置される。５２は光ディスクであり、ＣＤやＤＶＤなどのメディアであり、ＣＤ−ＲＯＭのような読み出しのみの場合や、ＣＤ−Ｒ／ＲＷのような読み出しと書き出しの両方が可能な場合がある。５３はターンテーブルであり、光ディスク５２を支持して光ディスクの回転支持盤となる。５４は回転駆動装置であり、ターンテーブル５３を実際に回転させ、ターンテーブル５３上に搭載された光ディスクの回転を実現する。
【００８３】
５５は実施の形態１から３で説明したいずれかの光ピックアップ装置であり、レーザー発光素子から対物レンズを通じて光ディスク５２のトラック上にレーザー光線の焦点スポットを形成する。５６は駆動装置であり、シャフト５７で支えられた光ピックアップ装置５５を直線駆動する。この直線駆動と回転駆動装置５４による回転駆動とがあいまって、光ディスク５２上に存在するピットにレーザー光線の焦点スポットが逐次形成され、光ディスクの情報の読み出し、あるいは書き込みの動作が実現される。
【００８４】
なお、図１０には示されていないが、トラッキングサーボ制御部、コントローラ部、メモリ部なども必要に応じて組み込まれ、動作制御に用いられる各種スイッチなども搭載される。あるいは、必要な制御に用いられるＬＳＩやＡＳＩＣ（特定用途向けＩＣ）なども搭載される。また、スピーカや画像表示用のＬＣＤなどが筺体内部や筺体外部に組み込まれる場合もある。
【００８５】
【発明の効果】
本発明では、レーザーモニターセンサーがレーザー光線の拡散光を集光する為、光ディスク上への書き込み、読み出しに使用するレーザー光線の平行光を必要としない。従って、必要なレーザー光線のパワーが小さくて済むという効果を有する。更に、レーザーモニターセンサーへは、集光された強いレーザー光線が到達するので、レーザーモニターセンサーには高い感度は必要無く、測定精度も安定させる効果を有する。更に装置の小型化や、部品のコストダウンも比較的容易になるという効果を有する。
【００８６】
更に、集光素子は反射ミラーを格納したミラー枠と一体で形成してもよく、あるいはその近傍に設置してもよいため、本光学装置を組み立てる際の柔軟性が高まるという効果を有する。
【００８７】
また、反射ミラーは透明樹脂にて成形されたミラー枠の角枠部にはめこみ接着された上で、キャリッジベースへ接着固定されるので、反射ミラーが直接キャリッジベースに接着固定される従来の構成と異なり、反射ミラーへの接着による応力歪は小さくなり、反射ミラー歪による光学的特性劣化が解消される効果を有する。
【００８８】
更に、反射ミラーには従来のような接着しろが必要ないため、反射ミラー自体を小さくすることができ、小型薄型化および部品製造コスト低下の効果を有する。
【００８９】
そして、この反射ミラーは、ガラス板に単純反射膜を形成した構成で十分であり、従来の半透過膜と比べると簡単で安価に製造できるという効果を有する。
【図面の簡単な説明】
【図１】本発明の実施の形態１における光学装置の斜視図
【図２】本発明の実施の形態１における反射ミラーの分解斜視図
【図３】本発明の実施の形態１におけるミラー枠の構成図
【図４】本発明の実施の形態１におけるミラー枠と集光素子の構成図
【図５】本発明の実施の形態１におけるミラー枠と集光素子の構成図
【図６】本発明の実施の形態２における光ピックアップ装置の斜視図
【図７】本発明の実施の形態２における光ピックアップ装置の光学部品の斜視図
【図８】本発明の実施の形態３における立ち上げ反射ミラーと集光素子の構成図
【図９】本発明の実施の形態３における立ち上げ反射ミラーと集光素子の構成図
【図１０】本発明の実施の形態４における光ディスクドライブ装置の構成図
【図１１】従来の技術における従来の形態の斜視図
【図１２】従来の技術における図１１の光学部品の斜視図
【図１３】従来の技術における図１２のＢ方向矢視図
【符号の説明】
１、３１  キャリッジベース
２、３２  シャフト
３、３３  レーザーモジュール
４、３４  コリメートレンズ
５、３５  ミラー枠
６、１６、１７、２２、２３  集光素子
７、３７  接着面
８、３６  レーザーモニターセンサー
９  反射ミラー
１０  反射面
１１  反射鏡
１２  レーザーモジュール方向
１３  対物方向
１４、４２  平行光
１５、２０  拡散光
１８、３８  立ち上げ反射ミラー
１９、３９  対物レンズ
２１、４１  焦点スポット
４０  レーザー光線
４３  透過光
５１  筺体
５２  光ディスク
５３  ターンテーブル
５４  回転駆動装置
５５  光ピックアップ装置
５６  駆動装置
５７  シャフト
【図１】
2004246961.tif 000003
【図２】
2004246961.tif 000004
【図３】
2004246961.tif 000005
【図４】
2004246961.tif 000006
【図５】
2004246961.tif 000007
【図６】
2004246961.tif 000008
【図７】
2004246961.tif 000009
【図８】
2004246961.tif 000010
【図９】
2004246961.tif 000011
【図１０】
2004246961.tif 000012
【図１１】
2004246961.tif 000013
【図１２】
2004246961.tif 000014
【図１３】
2004246961.tif 000015